(57)【要約】【課題】視認性を向上させた地図表示装置及びプログラムを提供する。【解決手段】地図情報を提供して表示する地図表示装置１は、海図を表示すると共に、画面上を指で接触させることにより各種入力が可能な表示画面１００を備えている。この表示画面１００の２点を指Ｆ１，Ｆ２で接触させると、そのときの縮尺に対応する２点間の距離を示すルーラー１０を表示させるルーラー表示機能を備え、このルーラー１０は、２つの接触点１２の間の距離と等しい線分１１と、指Ｆ１，Ｆ２の接触位置である接触点１２と、２つの接触点１２の間の距離１３と、補助線１４とを有している。線分１１は、２つの接触点１２から所定の距離だけ離隔した位置に表示されることにより、指Ｆ１，Ｆ２に遮蔽されることなく表示画面１００に表示されるので、地図表示装置１の視認性を向上させることができる。【選択図】図２
2018092075.tif 000002
【特許請求の範囲】
【請求項１】
地形情報を取得して地図を表示する表示画面を備えた地図表示装置であって、
前記表示画面の上に第１の接触物と第２の接触物とを接触させると、前記第１の接触物が前記表示画面に接触している位置に対応する点と前記第２の接触物が前記表示画面に接触している位置に対応する点との間の前記地図の上における距離と、前記距離に応じた目盛りが設けられた線分と、を有するルーラーを表示するルーラー表示機能を備え、
前記ルーラーは、前記第１の接触物及び前記第２の接触物から所定の距離だけ離隔した位置に表示される、
ことを特徴とする地図表示装置。
【請求項２】
前記ルーラー表示機能は、前記ルーラーを、前記第１の接触物及び前記第２の接触物の右側に表示させるか、または左側に表示させるか、を切り替え可能な切り替え手段を備えた、
ことを特徴とする請求項１に記載の地図表示装置。
【請求項３】
前記第１の接触物は、前記携帯端末を操作する操作者の第１の指であり、
前記第２の接触物は、前記第１の指とは異なる前記操作者の第２の指であり、
前記切り替え手段は、前記操作者が前記第１の指及び前記第２の指を前記表示画面に接触させている状態で、前記第１の指及び前記第２の指とは異なる前記操作者の第３の指を前記表示画面に接触させると、前記第３の指を接触させた位置に基づく方向に前記ルーラーを表示させる、
ことを特徴とする請求項２に記載の地図表示装置。
【請求項４】
前記切り替え手段は、前記操作者が前記第１の指及び前記第２の指を前記表示画面に接触させている状態で、前記第３の指を前記表示画面に接触させると、前記第３の指を接触させた位置に前記ルーラーを表示させる、
ことを特徴とする請求項３に記載の地図表示装置。
【請求項５】
前記切り替え手段は、前記第１の接触物を接触させている位置と、前記第２の接触物を接触させている位置との間の線が、所定の基準線に対して一定以上の角度で傾斜した場合、前記ルーラーの表示位置を自動で切り替える、
ことを特徴とする請求項２ないし４のいずれか１項に記載の地図表示装置。
【請求項６】
表示画面を備えた携帯端末で実行され、地形情報を取得して地図を前記表示画面に表示するプログラムであって、
前記表示画面の上に第１の接触物と第２の接触物とを接触させると、前記第１の接触物が前記表示画面に接触している位置に対応する点と前記第２の接触物が前記表示画面に接触している位置に対応する点との間の前記地図の上における距離と、前記距離に応じた目盛りが設けられた線分と、を有するルーラーを表示するルーラー表示機能を備え、
前記ルーラーは、前記第１の接触物及び前記第２の接触物から所定の距離だけ離隔した位置に表示される、
ことを特徴とするプログラム。
【請求項７】
前記ルーラー表示機能は、前記ルーラーを、前記第１の接触物及び前記第２の接触物の右側に表示させるか、または左側に表示させるか、を切り替え可能な切り替え手段を備えた、
ことを特徴とする請求項６に記載のプログラム。
【請求項８】
前記第１の接触物は、前記携帯端末を操作する操作者の第１の指であり、
前記第２の接触物は、前記第１の指とは異なる前記操作者の第２の指であり、
前記切り替え手段は、前記操作者が前記第１の指及び前記第２の指を前記表示画面に接触させている状態で、前記第１の指及び前記第２の指とは異なる前記操作者の第３の指を前記表示画面に接触させると、前記第３の指を接触させた位置に基づく方向に前記ルーラーを表示させる、
ことを特徴とする請求項７に記載のプログラム。
【請求項９】
前記切り替え手段は、前記操作者が前記第１の指及び前記第２の指を前記表示画面に接触させている状態で、前記第３の指を前記表示画面に接触させると、前記第３の指を接触させた位置に前記ルーラーを表示させる、
ことを特徴とする請求項８に記載のプログラム。
【請求項１０】
前記切り替え手段は、前記第１の接触物を接触させている位置と、前記第２の接触物を接触させている位置との間の線が、所定の基準線に対して一定以上の角度で傾斜した場合、前記ルーラーの表示位置を自動で切り替える、
ことを特徴とする請求項７ないし９のいずれか１項に記載のプログラム。
【発明の詳細な説明】
【技術分野】
【０００１】
本発明は、地形情報を取得して地図を表示する地図表示装置及び携帯端末で実行されるプログラムに関する。
【背景技術】
【０００２】
近年、地形情報を取得して地図を表示する地図表示装置は、船舶の航海時に使用される海図や、そのときに航海を行っている船舶の位置や進行方向等を表示する海図表示装置に限らず、自動車に搭載されて目的地への道案内を行うナビゲーションシステムにおいても広く利用されている。また、携帯電話やスマートフォン、パーソナルコンピュータにおいても、同様の機能を備えたプログラムが実行されて広く利用されている。
【０００３】
従来の紙に印刷された地図、特に海図では、地図上の任意の２点間の距離を定規等で測定し、その距離に縮尺の逆数を掛け合わせることで、任意の２点間の実際の距離を概算で求めることが行われていた。上記のような地図表示装置においても、任意の２点間の実際の距離を求めて表示してほしいという要望が多かった。
【０００４】
そのため、上記のような地図表示装置のうち、例えばタッチパネルを備えた装置において、タッチパネル上で任意の２点をタッチすると、その２点間の距離が自動計算されて表示される装置が知られている（例えば、特許文献１参照。）。この装置は、タッチパネル上で任意の２点をタッチすると、２点間の距離や方位等の２点間情報が表示されるようになっている。
【先行技術文献】
【特許文献】
【０００５】
【特許文献１】ＷＯ２０１３／０５１０５１号公報
【発明の概要】
【発明が解決しようとする課題】
【０００６】
ところで、このような地図表示装置では、タッチパネル上のセンサが指の接触を検出して２点間情報を表示するが、指は一定の面積を有するものであり、また、タッチパネル上で任意の２点をタッチしたときの指の間に２点間情報を表示している。そのため、地図表示装置と指との正確な接触位置を認識することが困難であるため、測定しようとする地点間の正確な距離が測定できないものであった。また、指の位置によっては非常に見えづらい場合もあり、この２点間情報を見るために指の角度を変更するとタッチ位置も動いてしまうため、２点間情報も変更されてしまう、という問題があった。
【０００７】
そこで本発明は、地図表示装置において、表示画面上で任意の２点をタッチしたときに表示される２点間の距離等を見やすく表示することで、視認性を向上させた地図表示装置及びプログラムを提供することを目的とする。
【課題を解決するための手段】
【０００８】
上記課題を解決するために、請求項１に記載の発明は、地形情報を取得して地図を表示する表示画面を備えた地図表示装置であって、前記表示画面の上に第１の接触物と第２の接触物とを接触させると、前記第１の接触物が前記表示画面に接触している位置に対応する点と前記第２の接触物が前記表示画面に接触している位置に対応する点との間の前記地図の上における距離と、前記距離に応じた目盛りが設けられた線分と、を有するルーラーを表示するルーラー表示機能を備え、前記ルーラーは、前記第１の接触物及び前記第２の接触物から所定の距離だけ離隔した位置に表示される、ことを特徴とする。
【０００９】
この発明によれば、この地図表示装置は、表示画面の上に第１の接触物と第２の接触物とを接触させると、第１の接触物が表示画面に接触している位置に対応する点と第２の接触物が表示画面に接触している位置に対応する点との間の地図上における距離と、距離に応じた目盛りが設けられた線分と、を有するルーラーが表示される。また、この距離及びルーラーは、第１の接触物及び第２の接触物から所定の距離だけ離隔した位置に表示される。
【００１０】
請求項２に記載の発明は、請求項１に記載の地図表示装置において、前記ルーラー表示機能は、前記ルーラーを、前記第１の接触物及び前記第２の接触物の右側に表示させるか、または左側に表示させるか、を切り替え可能な切り替え手段を備えた、ことを特徴とする。
【００１１】
請求項３に記載の発明は、請求項２に記載の地図表示装置において、前記第１の接触物は、前記携帯端末を操作する操作者の第１の指であり、前記第２の接触物は、前記第１の指とは異なる前記操作者の第２の指であり、前記切り替え手段は、前記操作者が前記第１の指及び前記第２の指を前記表示画面に接触させている状態で、前記第１の指及び前記第２の指とは異なる前記操作者の第３の指を前記表示画面に接触させると、前記第３の指を接触させた位置に基づく方向に前記ルーラーを表示させる、ことを特徴とする。
【００１２】
請求項４に記載の発明は、請求項３に記載の地図表示装置において、前記切り替え手段は、前記操作者が前記第１の指及び前記第２の指を前記表示画面に接触させている状態で、前記第３の指を前記表示画面に接触させると、前記第３の指を接触させた位置に前記ルーラーを表示させる、ことを特徴とする。
【００１３】
請求項５に記載の発明は、請求項２ないし４のいずれか１項に記載の地図表示装置において、前記切り替え手段は、前記第１の接触物を接触させている位置と、前記第２の接触物を接触させている位置との間の線が、所定の基準線に対して一定以上の角度で傾斜した場合、前記ルーラーの表示位置を自動で切り替える、ことを特徴とする。
【００１４】
請求項６に記載の発明は、表示画面を備えた携帯端末で実行され、地形情報を取得して地図を前記表示画面に表示するプログラムであって、前記表示画面の上に第１の接触物と第２の接触物とを接触させると、前記第１の接触物が前記表示画面に接触している位置に対応する点と前記第２の接触物が前記表示画面に接触している位置に対応する点との間の前記地図の上における距離と、前記距離に応じた目盛りが設けられた線分と、を有するルーラーを表示するルーラー表示機能を備え、前記距離及び前記ルーラーは、前記第１の接触物及び前記第２の接触物から所定の距離だけ離隔した位置に表示される、ことを特徴とする。
【００１５】
請求項７に記載の発明は、請求項６に記載のプログラムにおいて、前記ルーラー表示機能は、前記ルーラーを、前記第１の接触物及び前記第２の接触物の右側に表示させるか、または左側に表示させるか、を切り替え可能な切り替え手段を備えた、ことを特徴とする。
【００１６】
請求項８に記載の発明は、請求項７に記載のプログラムにおいて、前記第１の接触物は、前記携帯端末を操作する操作者の第１の指であり、前記第２の接触物は、前記第１の指とは異なる前記操作者の第２の指であり、前記切り替え手段は、前記操作者が前記第１の指及び前記第２の指を前記表示画面に接触させている状態で、前記第１の指及び前記第２の指とは異なる前記操作者の第３の指を前記表示画面に接触させると、前記第３の指を接触させた位置に基づく方向に前記ルーラーを表示させる、ことを特徴とする。
【００１７】
請求項９に記載の発明は、請求項８に記載のプログラムにおいて、前記切り替え手段は、前記操作者が前記第１の指及び前記第２の指を前記表示画面に接触させている状態で、前記第３の指を前記表示画面に接触させると、前記第３の指を接触させた位置に前記ルーラーを表示させる、ことを特徴とする。
【００１８】
請求項１０に記載の発明は、請求項７ないし９のいずれか１項に記載のプログラムにおいて、前記切り替え手段は、前記第１の接触物を接触させている位置と、前記第２の接触物を接触させている位置との間の線が、所定の基準線に対して一定以上の角度で傾斜した場合、前記ルーラーの表示位置を自動で切り替える、ことを特徴とする。
【発明の効果】
【００１９】
請求項１、６に記載の発明によれば、表示画面の上に第１の接触物と第２の接触物とを接触させると、表示画面に表示されている地図の縮尺に対応する第１の接触物を表示画面に接触させている点に対応する箇所と第２の接触物を表示画面に接触させている点に対応する箇所との間の距離及び線分を有するルーラーを表示するルーラー表示機能を備え、この距離及びルーラーは、第１の接触物及び第２の接触物から所定の距離だけ離隔した位置に表示されるので、ルーラーは、第１の接触物及び第２の接触物によって遮蔽されることなく、見やすい位置に表示される。これにより、視認性を向上させた地図表示装置及びプログラムを提供することが可能になる。
【００２０】
請求項２、７に記載の発明によれば、ルーラー表示機能は、ルーラーを、第１の接触物及び第２の接触物の右側に表示させるか、または左側に表示させるかを切り替え可能な切り替え手段を備えたことにより、ルーラーは、第１の接触物及び第２の接触物の位置等により見やすい位置に表示される。
【００２１】
請求項３、８に記載の発明によれば、第１の接触物は携帯端末を操作する操作者の第１の指であり、第２の接触物は操作者の第２の指であり、切り替え手段は、操作者が第１の指及び第２の指を表示画面に接触させている状態で第３の指を表示画面に接触させると、第３の指を接触させた位置に基づく方向にルーラーを表示させるので、ルーラーは、第１の指及び第２の指や腕によって遮蔽されることなく、見やすい位置に表示される。
【００２２】
請求項４、９に記載の発明によれば、切り替え手段は、操作者が第１の指及び第２の指を表示画面に接触させている状態で第３の指を表示画面に接触させると、第３の指を接触させた位置にルーラーを表示させるので、ルーラーは、第１の指及び第２の指の接触位置より離隔させた方が見やすい場合等において、見やすい位置に表示される。
【００２３】
請求項５、１０に記載の発明によれば、切り替え手段は、第１の接触物を接触させている位置と第２の接触物を接触させている位置との間の線が、所定の基準線に対して一定以上の角度で傾斜した場合にルーラーの表示位置を自動で切り替えるので、ルーラーは、自動的に見やすい位置に表示される。
【図面の簡単な説明】
【００２４】
【図１】この発明の実施の形態１に係る地図表示装置１を示す図であり、地図表示装置１の機能を示す機能ブロック図（ａ）、及び地図表示装置１の外観を示す平面図（ｂ）である。
【図２】図１（ｂ）の地図表示装置１にルーラー１０を表示させた状態を示す平面図である。
【図３】この発明の実施の形態２に係る地図表示装置１Ａの外観を示す平面図である。
【図４】この発明の実施の形態３に係る地図表示装置１Ｂの外観を示す平面図である。
【図５】この発明の実施の形態４に係る地図表示装置１Ｃの外観を示す平面図である。
【図６】この発明の実施の形態１に係る地図表示装置１Ｄの外観を示す図であり、ルーラー１０を右手モードで表示させた状態を示す平面図（ａ）、及びルーラー１０を左手モードで表示させた状態を示す平面図（ｂ）である。
【発明を実施するための形態】
【００２５】
以下、この発明を図示の実施の形態に基づいて説明する。
【００２６】
（実施の形態１）
この発明の実施の形態１に係る地図表示装置１は、地図情報を提供して表示するための装置であり、例えば、船舶の航海時に使用される海図や、そのときに航海を行っている船舶の位置や進行方向等を表示する海図表示装置である。地図表示装置１は、例えば、船舶の識別情報であるＡＩＳ（Ａｕｔｏｍａｔｉｃ  Ｉｄｅｎｔｉｆｉｃａｔｉｏｎ  Ｓｙｓｔｅｍ：自動船舶識別装置）情報や、他の船舶が現在航海している位置情報、船舶内に配置されているセンサ類から取得された当該船舶の位置や針路、速力等を示すコニング情報、海図の情報であるＣｈａｒｔ情報、航路情報、気象情報等を外部装置（図示省略）との間で送受信可能に構成されている。この地図表示装置１は、上記のような海図を表示させるための専用端末でも、市販のタブレット端末やスマートフォンのような携帯端末に上記のような海図を表示させるアプリケーション（プログラム）を実行させても良く、図１（ａ）に示すように、主としてＣｈａｒｔ情報ＤＢ２と、ＧＩＳ情報ＤＢ３と、入力表示部４と、通信部５と、海図表示機能６と、ルーラー表示機能７と、表示モード切替機能８とから構成され、これらを制御する中央制御部９を備えている。
【００２７】
Ｃｈａｒｔ情報ＤＢ２は、海の水深や灯台等の各種設備の情報である海図情報が格納されているデータベースである。ＧＩＳ情報ＤＢ３は、陸地の地形や道路等の情報である陸上地形情報が格納されているデータベースである。Ｃｈａｒｔ情報ＤＢ２及びＧＩＳ情報ＤＢ３に格納されている海図情報及び陸上地形情報は、通信部５を介して適宜サーバや外部システムにアクセスされ、最新情報に更新されるようになっている。
【００２８】
入力表示部４は、各種操作が入力され、その入力情報に基づいて海図や後述するルーラーを表示する入出力インターフェイスであり、例えば、図１（ｂ）に示す表示画面１００により構成されている。通信部５は、サーバや外部システムと通信を行う通信インターフェイスである。
【００２９】
海図表示機能６は、Ｃｈａｒｔ情報ＤＢ２及びＧＩＳ情報ＤＢ３に格納されている海図情報及び陸上地形情報に基づいて、例えば図１（ｂ）に示す、後述する海図情報１０１のような海図を表示画面１００に表示させるプログラムである。ルーラー表示機能７は、表示画面１００上の２点を指で接触させると、そのときに表示画面１００に表示されている縮尺情報１０４に対応する２点間の距離を示す、後述するルーラーを表示させるプログラムである。表示モード切替機能８は、海図表示機能６が実行されて表示画面１００上で海図を操作可能にする海図操作モードと、ルーラー表示機能７が実行されて後述するルーラーを表示させるルーラー表示モードとを切り替えるプログラムである。中央制御部９は、入力表示部４、通信部５、海図表示機能６、ルーラー表示機能７、及び表示モード切替機能８をプログラム制御するための装置であり、例えば、ＣＰＵ（Ｃｅｎｔｒａｌ  Ｐｒｏｃｅｓｓｉｎｇ  Ｕｎｉｔ）により構成されている。
【００３０】
表示画面１００は、海図表示機能６により、海図を表示すると共に、画面上を指またはタッチペン等の棒状部材（第１の接触物、第２の接触物）で接触させることにより各種入力が可能なタッチパネルにより構成されている。表示画面１００には、例えば、海図情報１０１、緯度経度情報１０２、方位情報１０３、及び縮尺情報１０４が表示され、記録開始ボタン１０５、及びルーラーモードボタン１０６を備えている。
【００３１】
海図情報１０１は、陸地と河川や海との境界線、水深を示す等深線、複数の灯台の位置等を示す海図であり、他の船舶等の位置を表示させることも可能に構成されている。緯度経度情報１０２は、現在地の緯度及び経度を示している。方位情報１０３は、海図情報１０１に表示されている海図の上方の方角を示している。縮尺情報１０４は、海図情報１０１に表示されている海図の縮尺を示している。記録開始ボタン１０５は、例えば、海図情報１０１の表示位置を移動させて航海の航路を表示させる際に、その時の表示状態を記録するための操作開始ボタンである。ルーラーモードボタン１０６は、海図情報１０１の移動や拡大、縮小等を操作する状態の海図操作モードと、後述するルーラーを表示させるルーラー表示モードとを切り替えるための操作ボタンである。
【００３２】
このような地図表示装置１は、ルーラー表示機能７により、表示画面１００上の２点を指で接触させると、そのときに表示画面１００に表示されている縮尺情報１０４に対応する２点間の距離を表示させることができる。このルーラー表示機能７により、表示画面１００上に表示されているルーラー１０を、図２に示す。このルーラー１０は、地図表示装置１の操作者の手Ｈの、例えば、指（第１の接触物、第１の指）Ｆ１、及び指（第２の接触物、第２の指）Ｆ２を表示画面１００に接触させると、表示画面１００上に表示されるものであり、線分１１と、接触点１２と、距離１３と、補助線１４とを有している。なお、指Ｆ１及び指Ｆ２は、指Ｆ１が操作者の右手親指、指Ｆ２が操作者の右手人差し指である例を図２に示しているが、この指に限られず、どの指で表示画面１００に接触させても良い。また、図２以降では、海図情報１０１、緯度経度情報１０２、方位情報１０３、縮尺情報１０４、記録開始ボタン１０５、及びルーラーモードボタン１０６の図示を省略する。
【００３３】
線分１１は、距離１３を定規のように表示するために目盛りが設けられた直線である。接触点１２は、指Ｆ１及び指Ｆ２を表示画面１００に接触させたときの接触点である。距離１３は、線分１１の間の距離を、図１に示す縮尺情報１０４の縮尺に対応させた距離を算出して表示したものである。補助線１４は、２つの接触点１２の間に引かれた直線である。線分１１及び距離１３は、２つの接触点１２の間の線分及び距離を示すものであるが、２つの接触点１２の間に表示すると、指Ｆ１、指Ｆ２、及び手Ｈに遮蔽されて見えなくなるおそれがあるので、図２上の左上方向に平行移動させて２つの接触点１２から所定の距離だけ離隔させ、見やすく表示したものである。
【００３４】
次に、この地図表示装置１の作用等について説明する。
【００３５】
図１に示すように、表示画面１００に海図情報１０１、緯度経度情報１０２、方位情報１０３、縮尺情報１０４、記録開始ボタン１０５、及びルーラーモードボタン１０６が表示されている状態において、海図操作モードから、ルーラーモードボタン１０６を押下してルーラー表示モードへ切り替えを行う。そして、図２に示すように、地図表示装置１の操作者は指Ｆ１及び指Ｆ２を表示画面１００に接触させると、ルーラー表示機能７は、ルーラー１０を表示画面１００に表示させる。このとき、２つの接触点１２は指Ｆ１及び指Ｆ２を表示画面１００に接触させた位置であり、線分１１及び距離１３は、２つの接触点１２から所定の距離だけ離隔した位置に表示される。これにより、指Ｆ１、指Ｆ２、及び手Ｈに遮蔽されて見えなくなることはなく表示画面１００に表示される。
【００３６】
この状態で、地図表示装置１の操作者は、海図情報１０１で距離を測定しようとする地点間と線分１１とが一致するように、指Ｆ１及び指Ｆ２を表示画面１００で動かして調整する。距離を測定しようとする地点間と線分１１とが一致すると、そのときに表示されている距離１３が、距離を測定しようとする地点間の距離に相当する。このようにして、測定しようとする地点間の正確な距離を測定する。
【００３７】
以上のように、この地図表示装置１によれば、ルーラー１０を表示画面１００に表示させるルーラー表示機能７を備え、ルーラー１０の線分１１及び距離１３は、２つの接触点１２から所定の距離だけ離隔した位置に表示されることにより、指Ｆ１、指Ｆ２、及び手Ｈに遮蔽されることなく見やすい位置に表示される。これにより、視認性を向上させた地図表示装置及びプログラムを提供することが可能になる。
【００３８】
（実施の形態２）
この発明の実施の形態２に係る地図表示装置１Ａは、実施の形態１と同様にルーラー表示機能７を備えているが、このルーラー表示機能７は、ルーラー１０Ａを表示画面１００に表示させる機能を備えていると共に、図３に示す表示画面１００に表示されている選択ボタン（切り替え手段）１５を備えている点において、実施の形態１に係る地図表示装置１と異なる。選択ボタン１５は、表示画面１００に表示されているルーラー１０Ａを、指Ｆ１及び指Ｆ２の右側に表示させるか、または左側に表示させるか、すなわち、線分１１及び距離１３を、補助線１４の右側に表示させるか、または左側に表示させるかを切り替え可能なボタンであり、選択ボタン１５の「右」が押下されると、ルーラー１０Ａは指Ｆ１及び指Ｆ２の右側に表示され、選択ボタン１５の「左」が押下されると、ルーラー１０Ａは指Ｆ１及び指Ｆ２の左側に表示される。なお、ここで、指Ｆ１及び指Ｆ２の右側とは、操作者の手Ｈが右手の場合は手首側を指し、操作者の手Ｈが左手の場合は手首側と反対側を指すものとし、指Ｆ１及び指Ｆ２の左側とは、操作者の手Ｈが右手の場合は手首側と反対側を指し、操作者の手Ｈが左手の場合は手首側を指すものとする。その他の地図表示装置１Ａの構成は、実施の形態１に係る地図表示装置１と同様である。
【００３９】
地図表示装置１Ａは、実施の形態１に係る地図表示装置１と同様に、表示画面１００に海図情報１０１、緯度経度情報１０２、方位情報１０３、縮尺情報１０４、記録開始ボタン１０５、及びルーラーモードボタン１０６が表示されている状態において、海図操作モードから、ルーラーモードボタン１０６を押下してルーラー表示モードへ切り替えを行い、図３に示すように、地図表示装置１の操作者は指Ｆ１及び指Ｆ２を表示画面１００に接触させると、ルーラー表示機能７は、ルーラー１０Ａを表示画面１００に表示させる。また、選択ボタン１５の「右」を押下すると、ルーラー１０Ａは指Ｆ１及び指Ｆ２の右側、すなわち、線分１１及び距離１３が補助線１４の右側に表示され、選択ボタン１５の「左」を押下すると、ルーラー１０Ａは指Ｆ１及び指Ｆ２の左側、すなわち、線分１１及び距離１３が補助線１４の左側に表示される。例えば、図３ではルーラー１０Ａは指Ｆ１及び指Ｆ２の左側に表示されているので、選択ボタン１５の「右」を押下すると、ルーラー１０Ａは指Ｆ１及び指Ｆ２の右側に移動して表示される。これにより、操作者の手Ｈが右手である場合には、ルーラー１０Ａが手Ｈに遮蔽されないようにするために指Ｆ１及び指Ｆ２の左側に表示させ、操作者の手Ｈが左手である場合には、ルーラー１０Ａを指Ｆ１及び指Ｆ２の右側に表示させることができる。なお、その後の距離を測定しようとする地点間の距離の測定は、実施の形態１に係る地図表示装置１と同様である。
【００４０】
以上のように、この地図表示装置１Ａによれば、操作者の手Ｈが右手である場合には、ルーラー１０Ａを指Ｆ１及び指Ｆ２の左側に表示させ、操作者の手Ｈが左手である場合には、ルーラー１０Ａを指Ｆ１及び指Ｆ２の右側に表示させるように、ルーラー１０Ａを見やすい位置に表示させることが可能になる。
【００４１】
（実施の形態３）
この発明の実施の形態３に係る地図表示装置１Ｂは、実施の形態１と同様にルーラー表示機能７を備えているが、このルーラー表示機能７は、ルーラー１０Ｂを表示画面１００に表示させる機能を備えていると共に、図４に示すように、指Ｆ１及び指Ｆ２が表示画面１００に接触している状態で、操作者の手Ｈの指（第３の指）Ｆ３が表示画面１００に接触すると、指Ｆ３の接触位置に基づき、例えば、指Ｆ１及び指Ｆ２を中心線として、指Ｆ３の接触位置の反対側にルーラー１０Ｂを表示させる、すなわち、線分１１及び距離１３を、補助線１４を中心線として、指Ｆ３の接触位置の反対側に表示させる点において、実施の形態１に係る地図表示装置１と異なる。これは、例えば、操作者の手Ｈが右手であり、指Ｆ１が親指、指Ｆ２が人差し指である場合、図４に示すように、指Ｆ１及び指Ｆ２の左側に表示させたほうが見やすいので、中指である指Ｆ３を表示画面１００に接触させることで、指Ｆ１及び指Ｆ２を中心線として指Ｆ３の接触位置の反対側にルーラー１０Ｂを表示させたものである。
【００４２】
地図表示装置１Ｂは、実施の形態１に係る地図表示装置１と同様に、表示画面１００に海図情報１０１、緯度経度情報１０２、方位情報１０３、縮尺情報１０４、記録開始ボタン１０５、及びルーラーモードボタン１０６が表示されている状態において、海図操作モードから、ルーラーモードボタン１０６を押下してルーラー表示モードへ切り替えを行い、図４に示すように、地図表示装置１の操作者は指Ｆ１及び指Ｆ２を表示画面１００に接触させると、ルーラー表示機能７は、ルーラー１０Ｂを表示画面１００に表示させる。また、指Ｆ３を表示画面１００に接触させると、ルーラー１０Ｂは指Ｆ１及び指Ｆ２を中心線として指Ｆ３の接触位置の反対側、すなわち、線分１１及び距離１３が補助線１４を中心線として指Ｆ３の接触位置の反対側に表示される。例えば、操作者の手Ｈが右手である場合には、ルーラー１０Ｂが手Ｈに遮蔽されないようにするために、指Ｆ１及び指Ｆ２の右側に位置する指Ｆ３を表示画面１００に接触させると、ルーラー１０Ｂは指Ｆ１及び指Ｆ２の左側に表示される。操作者の手Ｈが左手である場合には、指Ｆ１及び指Ｆ２の左側に位置する指Ｆ３を表示画面１００に接触させると、ルーラー１０Ｂは指Ｆ１及び指Ｆ２の右側に表示される。なお、その後の距離を測定しようとする地点間の距離の測定は、実施の形態１に係る地図表示装置１と同様である。
【００４３】
以上のように、この地図表示装置１Ｂによれば、操作者の手Ｈが右手である場合には、指Ｆ３を表示画面１００に接触させることでルーラー１０Ｂを指Ｆ１及び指Ｆ２の左側に表示させ、操作者の手Ｈが左手である場合には、指Ｆ３を表示画面１００に接触させることでルーラー１０Ｂを指Ｆ１及び指Ｆ２の右側に表示させることができるので、ルーラー１０Ｂを見やすい位置に表示させることが可能になる。
【００４４】
（実施の形態４）
この発明の実施の形態４に係る地図表示装置１Ｃは、実施の形態１と同様にルーラー表示機能７を備えているが、このルーラー表示機能７は、対側の指（第３の指）Ｆ４が表示画面１００に接触すると、指Ｆ４の接触位置に基づき、例えば、指Ｆ１及び指Ｆ２を中心線として、指Ｆ４の接触位置側にルーラー１０Ｃを表示させる、すなわち、線分１１及び距離１３を、補助線１４を中心線として、指Ｆ４の接触位置側に表示させる点において、実施の形態１に係る地図表示装置１と異なる。これは、例えば指Ｆ４を操作者の手Ｈとは反対側の指を使用したい場合、実施の形態３とは逆に、指Ｆ１及び指Ｆ２を中心線として指Ｆ４の接触位置側にルーラー１０Ｃを表示させたほうが見やすいので、このような場合に対応させたものである。なお、このルーラー１０Ｃは、指Ｆ４の接触位置に表示させることも可能である。
【００４５】
地図表示装置１Ｃは、実施の形態１に係る地図表示装置１と同様に、表示画面１００に海図情報１０１、緯度経度情報１０２、方位情報１０３、縮尺情報１０４、記録開始ボタン１０５、及びルーラーモードボタン１０６が表示されている状態において、海図操作モードから、ルーラーモードボタン１０６を押下してルーラー表示モードへ切り替えを行い、図５に示すように、地図表示装置１の操作者は指Ｆ１及び指Ｆ２を表示画面１００に接触させると、ルーラー表示機能７は、ルーラー１０Ｃを表示画面１００に表示させる。また、指Ｆ４を表示画面１００に接触させると、ルーラー１０Ｃは指Ｆ１及び指Ｆ２を中心線として指Ｆ４の接触位置側、すなわち、線分１１及び距離１３が補助線１４を中心線として指Ｆ４の接触位置側に表示される。例えば、操作者の手Ｈが右手である場合には、ルーラー１０Ｃが手Ｈに遮蔽されないようにするために、指Ｆ１及び指Ｆ２の左側で指Ｆ４を表示画面１００に接触させると、ルーラー１０Ｃは指Ｆ１及び指Ｆ２の左側に表示される。操作者の手Ｈが左手である場合には、指Ｆ１及び指Ｆ２の右側で指Ｆ４を表示画面１００に接触させると、ルーラー１０Ｃは指Ｆ１及び指Ｆ２の右側に表示される。また、指Ｆ１及び指Ｆ２から離隔した位置で指Ｆ４を表示画面１００に接触させ、ルーラー１０Ｃを指Ｆ４の接触位置に表示させることも可能である。なお、その後の距離を測定しようとする地点間の距離の測定は、実施の形態１に係る地図表示装置１と同様である。
【００４６】
以上のように、この地図表示装置１Ｃによれば、指Ｆ４を表示画面１００に接触させると、ルーラー１０Ｃが指Ｆ１及び指Ｆ２を中心線として指Ｆ４の接触位置側に表示され、また、指Ｆ４の接触位置に表示させることも可能であるため、ルーラー１０Ｃを見やすい位置に表示させることが可能になる。
【００４７】
（実施の形態５）
この発明の実施の形態５に係る地図表示装置１Ｄは、実施の形態１と同様にルーラー表示機能７を備えているが、このルーラー表示機能７は、ルーラー１０Ｄを表示画面１００に表示させる機能を備えていると共に、図６（ａ）、（ｂ）に示す表示画面１００に表示されている右手／左手切替ボタン（切り替え手段）１５Ｄを備えている点において、実施の形態１に係る地図表示装置１と異なる。また、ルーラー１０Ｄは、一定以上の角度で傾斜した場合、指Ｆ１及び指Ｆ２の右側／左側の表示を自動的に切り替えられるようになっている。右手／左手切替ボタン１５Ｄは、表示画面１００に表示されているルーラー１０Ｄを、右手で操作するための右手モードと、左手で操作するための左手モードとを切り替え可能なボタンである。ルーラー１０Ｄが右手モードで表示されている状態を図６（ａ）に、ルーラー１０Ｄが左手モードで表示されている状態を図６（ｂ）に、それぞれ示す。なお、操作者の手Ｈ、指Ｆ１及び指Ｆ２は図示を省略する。
【００４８】
地図表示装置１Ｄは、実施の形態１に係る地図表示装置１と同様に、表示画面１００に海図情報１０１、緯度経度情報１０２、方位情報１０３、縮尺情報１０４、記録開始ボタン１０５、及びルーラーモードボタン１０６が表示されている状態において、海図操作モードから、ルーラーモードボタン１０６を押下してルーラー表示モードへ切り替えを行い、地図表示装置１の操作者は指Ｆ１及び指Ｆ２を表示画面１００に接触させると、ルーラー表示機能７は、ルーラー１０Ｄを表示画面１００に表示させる。
【００４９】
このとき、例えば右手モードで表示されているルーラー１０Ｄは、指Ｆ１及び指Ｆ２を表示画面１００の接触点１２に接触させると、図６（ａ）に示すように、線分１１及び距離１３が補助線１４の左上側に表示されている。この状態で、指Ｆ１及び指Ｆ２を反時計回り方向に回転させると、それに従ってルーラー１０Ｄも回転する。そして、図６（ａ）に示す基準線ＢＬに対して、一定の角度（例えば、９０°）以上に傾斜した場合、線分１１及び距離１３が補助線１４の右側に移動して表示される。
【００５０】
また、例えば左手モードで表示されているルーラー１０Ｄは、指Ｆ１及び指Ｆ２を表示画面１００の接触点１２に接触させると、図６（ｂ）に示すように、線分１１及び距離１３が補助線１４の右上側に表示されている。この状態で、指Ｆ１及び指Ｆ２を時計回り方向に回転させると、それに従ってルーラー１０Ｄも回転する。そして、図６（ｂ）に示す基準線ＢＬに対して、一定の角度（例えば、９０°）以上に傾斜した場合、線分１１及び距離１３が補助線１４の左側に移動して表示される。これは、例えば操作者の手Ｈを回転させると、ルーラー１０Ｄを表示させる位置を切り替えたほうが見やすいので、このような場合に対応させたものである。なお、その後の距離を測定しようとする地点間の距離の測定は、実施の形態１に係る地図表示装置１と同様である。
【００５１】
以上のように、この地図表示装置１Ｄによれば、指Ｆ１及び指Ｆ２を回転させるとそれに従ってルーラー１０Ｄも回転し、基準線ＢＬに対して９０°以上に傾斜した場合、線分１１及び距離１３が補助線１４の反対側に移動して表示されるため、ルーラー１０Ｃを見やすい位置に表示させることが可能になる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１，２では、指Ｆ１及び指Ｆ２を表示画面１００に接触させたが、タッチペン等の棒状部材を接触させても良い。
【００５３】
また、上記の実施の形態３では、ルーラー１０Ｂを指Ｆ１及び指Ｆ２を中心線として指Ｆ３の接触位置の反対側に表示させ、実施の形態４では、ルーラー１０Ｃを指Ｆ１及び指Ｆ２を中心線として指Ｆ４の接触位置側に表示させたが、これらの表示形態を切り替え可能に構成しても良い。
【符号の説明】
【００５４】
１，１Ａ，１Ｂ，１Ｃ，１Ｄ                地図表示装置
２                                        Ｃｈａｒｔ情報ＤＢ
３                                        ＧＩＳ情報ＤＢ
４                                        入力表示部
５                                        通信部
６                                        海図表示機能
７                                        ルーラー表示機能
８                                        表示モード切替機能
９                                        中央制御部
１０，１０Ａ，１０Ｂ，１０Ｃ，１０Ｄ      ルーラー
１１                                      線分
１２                                      接触点
１３                                      距離
１４                                      補助線
１５                                      選択ボタン（切り替え手段）
１５Ｄ                                    右手／左手切替ボタン（切り替え手段）
１００                                    表示画面
１０１                                    海図情報
１０２                                    緯度経度情報
１０３                                    方位情報
１０４                                    縮尺情報
１０５                                    記録開始ボタン
１０６                                    ルーラーモードボタン
ＢＬ                                      基準線
Ｆ１                                      指（第１の接触物、第１の指）
Ｆ２                                      指（第２の接触物、第２の指）
Ｆ３                                      指（第３の指）
Ｆ４                                      指（第３の指）
Ｈ                                        手
【図１】
2018092075.tif 000003
【図２】
2018092075.tif 000004
【図３】
2018092075.tif 000005
【図４】
2018092075.tif 000006
【図５】
2018092075.tif 000007
【図６】
2018092075.tif 000008